(57)【要約】【課題】遊技者が占有できる遊技空間内において、よりよい遊技環境を提供可能な下部仕切り板を提供する。【解決手段】下部仕切り板１は、床の上に並んで配置される２つの遊技台の間から２つの遊技台に対して遠ざかる遠離方向に延びる前方領域の下部を仕切る仕切り板である。下部仕切り板１は、前方領域の下方に配置され、遠離方向に広がる仕切り板本体１０と、仕切り板本体１０を床に固定する下部固定部４２とを有する。仕切り板本体１０は、モニタＱを収容するモニタ収容部１１ｄと、モニタ収容部１１ｄに収容されたモニタＱを保持するモニタ保持部１１ｃとを有する。仕切り板本体１０は、仕切り板本体１０から遠離方向ｘ１に延びるように形成される羽根部１１を有する。【選択図】図２
2018108151.tif 000002
【特許請求の範囲】
【請求項１】
床の上に並んで配置される２つの遊技台の間から前記２つの遊技台に対して遠ざかる遠離方向に延びる前方領域の下部を仕切る下部仕切り板であって、
前記前方領域の下方に配置され、前記遠離方向に広がる仕切り板本体と、
前記仕切り板本体を前記床に固定する下部固定部と、を備え、
前記仕切り板本体は、モニタを収容するモニタ収容部と、前記モニタ収容部に収容されたモニタを保持するモニタ保持部とを有する、下部仕切り板。
【請求項２】
前記仕切り板本体は、前記仕切り板本体から前記遠離方向に延びるように形成される羽根部を有し、
前記羽根部は、モニタを収容するモニタ収容部と、前記モニタ収容部に収容されたモニタを保持するモニタ保持部とを有する、請求項１に記載の下部仕切り板。
【請求項３】
前記モニタ収容部は、前記羽根部の一方の側面に形成され、
前記羽根部は、さらに、前記羽根部の他方の側面に形成された別のモニタ収容部と、前記別のモニタ収容部に収容された別のモニタを保持する別のモニタ保持部と、を有する、請求項２に記載の下部仕切り板。
【請求項４】
前記羽根部は、広告用パネルを収容するパネル収容部と、前記パネル収容部に収容された広告用パネルを保持するパネル保持部と、を有する、請求項２又は３に記載の下部仕切り板。
【請求項５】
前記羽根部は、遊技者の接触を避けるための切欠き部を有する、請求項２から４のいずれかに記載の下部仕切り板。
【請求項６】
さらに、前記仕切り板本体に設けられ、前後方向及び横方向の少なくとも一方にスライドする肘置きを備える、請求項１から５のいずれかに記載の下部仕切り板。
【請求項７】
さらに、前記肘置きの前記仕切り板本体側に設けられ、前記肘置きに置かれた手が接触可能な板部材を備える、請求項６に記載の下部仕切り板。
【請求項８】
さらに、前記肘置きの高さを調整する肘置き高さ調整部を備える、請求項６又は７に記載の下部仕切り板。
【請求項９】
前記肘置き高さ調整部は、前記下部固定部から垂直方向に立設されたフレーム部と、前記仕切り板本体と前記フレーム部とを固定する固定手段と、を有する、請求項８に記載の下部仕切り板。
【請求項１０】
さらに、収納状態から展開状態に展開可能なテーブルを備える、請求項１から９のいずれかに記載の下部仕切り板。
【請求項１１】
前記テーブルは、回動軸を中心に前記収納状態と前記展開状態との間の回動が可能に、かつ、前記展開状態において前記回動軸が延びる回動軸方向のスライドが可能なテーブル本体と、前記テーブル本体が前記展開状態において前記回動軸方向の一方側にスライドをしたときに前記テーブル本体の回動を規制するロック部と、前記テーブル本体が前記展開状態において前記回動軸方向の前記一方側に前記テーブル本体に対して付勢力を与える付与部と、を有する、請求項１０に記載の下部仕切り板。
【請求項１２】
さらに、前記仕切り板本体の少なくとも一方の面に設けられたポケットを備える、請求項１から１１のいずれかに記載の下部仕切り板。
【請求項１３】
さらに、前記仕切り板本体を膳板に固定するための膳板固定部を備える、請求項１から１２のいずれかに記載の下部仕切り板。
【発明の詳細な説明】
【技術分野】
【０００１】
本発明は、下部仕切り板に関する。
【背景技術】
【０００２】
パチンコ台及びスロットマシン等の遊技台が設置された遊技ホールでは、遊技者に遊技に集中してもらうために、遊技者ごとに快適な遊技空間を提供している。例えば、特許文献１には、仕切手段を利用して利用者が楽な姿勢で遊技が行えるように、遊技者が使用する側の腕を置く肘掛部を備えた遊技機用ブースが記載されている。この遊技機用ブースによれば、遊技者は、その遊技機用空間を使用して快適に遊技に集中することができる。
【０００３】
しかし、遊技機用ブースは、仕切り板で仕切られているので、遊技台で得たパチンコ玉及びメダル（出玉）を入れた箱（ドル箱）を遊技台の近傍の床の上に積み上げることが難しくなった。そこで、得た出玉を遊技台の外に払い出しをする代わりに、得た出玉を各遊技台に設けられた表示部で表示することが行われている。
【０００４】
他方、ドル箱の積み上げは、遊技ホールの華であり、遊技者は、ドル箱を積み上げることにより、他の遊技者に対する優越感を得ている。
【先行技術文献】
【特許文献】
【０００５】
【特許文献１】登録実用新案第３１３６４３２号公報
【発明の概要】
【発明が解決しようとする課題】
【０００６】
本発明は、遊技者が占有できる遊技空間内において、よりよい遊技環境を提供可能な下部仕切り板を提供することを目的とする。
【課題を解決するための手段】
【０００７】
上記課題を解決するため、本発明に係る下部仕切り板は、床の上に並んで配置される２つの遊技台の間から前記２つの遊技台に対して遠ざかる遠離方向に延びる前方領域の下部を仕切る下部仕切り板であって、前記前方領域の下方に配置され、前記遠離方向に広がる仕切り板本体と、前記仕切り板本体を前記床に固定する下部固定部と、を備え、前記仕切り板本体は、モニタを収容するモニタ収容部と、前記モニタ収容部に収容されたモニタを保持するモニタ保持部とを有することを特徴とする。
【０００８】
本発明に係る下部仕切り板において、前記仕切り板本体は、前記仕切り板本体から前記遠離方向に延びるように形成される羽根部を有し、前記羽根部は、モニタを収容するモニタ収容部と、前記モニタ収容部に収容されたモニタを保持するモニタ保持部とを有することを特徴とする。
【０００９】
本発明に係る下部仕切り板において、前記モニタ収容部は、前記羽根部の一方の側面に形成され、前記羽根部は、さらに、前記羽根部の他方の側面に形成された別のモニタ収容部と、前記別のモニタ収容部に収容された別のモニタを保持する別のモニタ保持部と、を有することを特徴とする。
【００１０】
本発明に係る下部仕切り板において、前記羽根部は、広告用パネルを収容するパネル収容部と、前記パネル収容部に収容された広告用パネルを保持するパネル保持部と、を有することを特徴とする。
【００１１】
本発明に係る下部仕切り板において、前記羽根部は、遊技者の接触を避けるための切欠き部を有することを特徴とする。
【００１２】
本発明に係る下部仕切り板において、さらに、前記仕切り板本体に設けられ、前後方向及び横方向の少なくとも一方にスライドする肘置きを備えることを特徴とする。
【００１３】
本発明に係る下部仕切り板において、さらに、前記肘置きの前記仕切り板本体側に設けられ、前記肘置きに置かれた手が接触可能な板部材を備えることを特徴とする。
【００１４】
本発明に係る下部仕切り板において、さらに、前記肘置きの高さを調整する肘置き高さ調整部を備えることを特徴とする。
【００１５】
本発明に係る下部仕切り板において、前記肘置き高さ調整部は、前記下部固定部から垂直方向に立設されたフレーム部と、前記仕切り板本体と前記フレーム部とを固定する固定手段と、を有することを特徴とする。
【００１６】
本発明に係る下部仕切り板において、さらに、収納状態から展開状態に展開可能なテーブルを備えることを特徴とする。
【００１７】
本発明に係る下部仕切り板において、前記テーブルは、回動軸を中心に前記収納状態と前記展開状態との間の回動が可能に、かつ、前記展開状態において前記回動軸が延びる回動軸方向のスライドが可能なテーブル本体と、前記テーブル本体が前記展開状態において前記回動軸方向の一方側にスライドをしたときに前記テーブル本体の回動を規制するロック部と、前記テーブル本体が前記展開状態において前記回動軸方向の前記一方側に前記テーブル本体に対して付勢力を与える付与部と、を有することを特徴とする。
【００１８】
本発明に係る下部仕切り板において、さらに、前記仕切り板本体の少なくとも一方の面に設けられたポケットを備えることを特徴とする。
【００１９】
本発明に係る下部仕切り板において、さらに、前記仕切り板本体を膳板に固定するための膳板固定部を備えることを特徴とする。
【発明の効果】
【００２０】
本発明によれば、遊技者が占有できる遊技空間内において、よりよい遊技環境を提供可能な下部仕切り板を提供することができる。
【図面の簡単な説明】
【００２１】
【図１】遊技島における第１実施形態に係る下部仕切り板の利用状態を模式的に表した図である。
【図２】本発明の第１実施形態に係る下部仕切り板のテーブルが収納されている状態を示す斜視図である。
【図３】本発明の第１実施形態に係る下部仕切り板のテーブルが収納されている状態を示す斜視図である。
【図４】本発明の第１実施形態に係る下部仕切り板のテーブルが収納されている状態を示す構成図である。
【図５】本発明の第１実施形態に係る下部仕切り板の肘置きを説明する図である。
【図６】本発明の第１実施形態に係る下部仕切り板のテーブルを展開した状態を示す図である。
【図７】本発明の第１実施形態に係る下部仕切り板のテーブルを展開した状態を示す図である。
【図８】本発明の第１実施形態に係る下部仕切り板の羽根部の広告収納部について説明する図である。
【図９】本発明の第１実施形態の変形例に係る下部仕切り板を説明する図である。
【図１０】本発明の第２実施形態に係る下部仕切り板にポケットを取り付けた状態を示す斜視図である。
【図１１】本発明の第２実施形態に係る下部仕切り板へのポケットの取り付け方を示す分解斜視図である。
【図１２】本発明の第２実施形態の変形例に係る下部仕切り板にポケットを取り付けた状態を示す斜視図である。
【図１３】本発明の第２実施形態の変形例に係る下部仕切り板にポケットを取り付けた状態を示す斜視図である。
【図１４】本発明の変形例に係る下部仕切り板のモニタの表示状態を示す図である。
【発明を実施するための形態】
【００２２】
以下、添付図面を参照して、本発明を実施するための形態について詳細に説明する。以降の図においては、実施形態の説明の全体を通して同じ要素には同じ番号又は符号を付している。
図１に示すように、以下の説明において、並んで配置された複数の遊技台Ｂの方向をＹ方向とし、遊技台Ｂの正面方向をＸ方向とし、上下方向をＺ方向とする。
以下、図１から図９を参照しながら本発明に係る下部仕切り板１の構成について詳細に説明する。
【００２３】
図１に示すように、遊技ホールには複数の遊技島Ａが配置されている。各遊技島Ａには複数の遊技台Ｂが設置されている。
【００２４】
各遊技島Ａに設置されている複数の遊技台Ｂは、遊技ホールの床の上に並んで配置されている。複数の遊技台Ｂにおいて、並んで配置された２つの遊技台Ｂの間から遊技台Ｂに対して遠ざかる遠離方向ｘ１（Ｘ方向のうち遊技台Ｂに対して遠ざかる方向）に延びる前方領域に上部仕切り板Ｃが配置されている。
【００２５】
下部仕切り板１は、前方領域の下部を仕切る仕切り板である。下部仕切り板１は、前面が遊技台Ｂの枠体と略同じ位置となるように各遊技台Ｂの台間に配置される上部仕切り板Ｃの床方向（Ｚ方向のうち下向きの方向である下方向ｚ１）側に設置されている。
【００２６】
（下部仕切り板）
図２から図７に示すように、下部仕切り板１は、仕切り板本体１０と、下部固定部４２とを備える。下部仕切り板１は、さらに、テーブル２０と、肘置き３０と、膳板固定部４０と、高さ調整部４１と、フック６０とを備える。仕切り板本体１０は、羽根部１１を含むことが好ましい。
【００２７】
（仕切り板本体）
図２に示すように、仕切り板本体１０は、Ｙ方向に並んで配置された２つの遊技台Ｂの間の距離（図１において、上部仕切り板Ｃの厚さ）と略同じ厚さを有する板形状に形成されている。仕切り板本体１０に複数の穴を設けて、通気性を確保するようにしてもよい。
仕切り板本体１０の側部には、羽根部１１を取り付けるための孔１０ｂが形成されている。
仕切り板本体１０の一方の側面には、テーブル本体２０ａを収納する凹部形状のテーブル収納部１０ａが形成されている。
仕切り板本体１０は、鉄、ステンレス、アルミニウムのような金属によって構成されていることが好ましいが、樹脂のような素材によって構成されていてもよい。仕切り板本体１０が金属によって構成されている場合、仕切り板本体１０の周囲に塗装が施されていることが好ましい。
また、仕切り板本体１０には、傘、洋服収納容器又はメダル収納容器等を保持する保持部を設けていることが好ましい。
【００２８】
（フック）
図３及び図４に示すように、フック６０は、仕切り板本体１０の側面に設けられている。フック６０には、例えば、遊技者の鞄のような私物を掛けることができる。
【００２９】
（羽根部）
図２及び図６（ａ）に示すように、羽根部１１は、板形状を有し、遠離方向ｘ１に延びるように、仕切り板本体１０に形成されている。羽根部１１は、仕切り板本体１０のうち、遠離方向ｘ１の端部である側部に形成されていることが好ましいがこれに限定されない。
【００３０】
羽根部１１は、仕切り板本体１０の孔１０ｂにネジのような取付部４３を通すことによって、仕切り板本体１０の側部に取り付けられる。したがって、仕切り板本体１０に形成されている孔１０ｂに取付部４３を通すことで、固定する（取り付ける）ことができ、取付部４３を緩めることによって、取り外すことができる。羽根部１１は、大きい羽根部と、小さい羽根部とを用意しておき、必要に応じて大きい羽根部と小さい羽根部を選択的に取付部４３によって仕切り板本体１０に取付ることができる。
なお、羽根部１１と仕切り板本体１０とは一体成形されていてもよい。
【００３１】
羽根部１１の下部の一部には、切欠部１２が形成されている。切欠部１２が形成されていることによって、遊技台Ｂの椅子を回転させたときに、椅子及び回転する椅子に座っている遊技者の足が羽根部１１に接触することを防ぐことができる。
羽根部１１の形状又は大きさは、遊技ホールに設置されるＸ方向に隣接する２つの遊技島Ａの間の間隔や、Ｙ方向に隣接する２つの遊技台Ｂの間に設置される上部仕切り板Ｃの形状及び大きさに応じて適宜変更可能である。
【００３２】
羽根部１１は、遊技ホールの客が接触した時に破損しないように、又は、遊技客が怪我を負わないようにするため、所定の強度と弾性とを有する素材（例えば、樹脂）であることが好ましい。これらの条件を満たすためには、アクリル製のボード、例えば、エラストマー性樹脂が含有される素材を使用するのが好ましい。エラストマー性樹脂は、数あるプラスチックの中でもゴム的な性質を最大の特徴としており、ゴムとプラスチックの双方にまたがるような非常に特徴ある使われ方がなされており、一定の強度と弾性を有する点で羽根部１１の素材として最適である。なお、エラストマー性樹脂に限定されず、透明であって一定の強度と弾性を有する素材であれば代替可能である。
【００３３】
本実施形態では、仕切り板本体１０は、モニタＱを収容するモニタ収容部１１ｄと、モニタ収容部１１ｄに収容されたモニタＱを保持するモニタ保持部１１ｃとを有する例として、羽根部１１が、２つのモニタ収容部１１ｄと、モニタ保持部１１ｃとを有するものとして説明するが、これに限定されない。
２つのモニタ収容部１１ｄは、それぞれ、羽根部１１の一方及び他方の側面に形成されている。
各モニタ収容部１１ｄは、モニタＱを収容する部分である。モニタ収容部１１ｄは、例えば、羽根部１１の側面に形成された凹部である。
モニタ保持部１１ｃは、モニタ収容部１１ｄに収容されたモニタＱを保持する保持部である。モニタ保持部１１ｃは、モニタＱの周囲を保持する爪部であることが好ましいが、これに限定されず、モニタＱをモニタ収容部１１ｄに収容することができる手段であればよく、例えば、モニタ収容部１１ｄに貼られた粘着テープ等により、モニタＱの背面を保持してもよい。
なお、羽根部１１は、２つのモニタ収容部１１ｄを有するとして説明したが、１つのモニタ収容部１１ｄを有するとしてもよいし、３つ以上のモニタ収容部１１ｄを有してもよい。
モニタＱは、液晶ディスプレイ（有機ＥＬ、液晶テレビ、プラズマ）、ＬＥＤ表示機、ＬＥＤをバックライトとしてフレームプレートを光らせるもの、バックライト付きカラーパネル（図１４参照）の少なくともいずれかであることが好ましい。モニタＱには、遊技台Ｂの遊技の状態を視覚的に演出する演出画像を表示させることが好ましい。演出画像としては、「フィーバー」の演出、出玉に応じて「ドル箱」の絵（出玉が一杯のドル箱の絵Ｑ１、出玉が半分のドル箱の絵Ｑ２、出玉が入っていないドル箱の絵Ｑ３）を複数表示させて、「ドル箱」が積み上がった状態の演出（図１４参照）を例示することができる。
【００３４】
羽根部１１は、２つのパネル収容部１１ａと、パネル保持部１１ｂとを有する。
２つのパネル収容部１１ａは、それぞれ、羽根部１１の一方及び他方の側面に形成されている。パネル収容部１１ａはモニタ収容部１１ｄの下方向ｚ１側に形成されていることが好ましい。
各パネル収容部１１ａは、広告用パネルＰを収容する部分である。パネル収容部１１ａは、例えば、羽根部１１の側面に形成された凹部である。パネル収容部１１ａの凹部とモニタ収容部１１ｄの凹部とは共有されていてもよい。
パネル保持部１１ｂは、パネル収容部１１ａに収容された広告用パネルＰを保持する保持爪であることが好ましい。
図８（ａ）に示す状態から、パネル保持部１１ｂにそって広告用パネルＰをパネル収容部１１ａに収容させていき（図８（ｂ））、広告用パネルＰのすべてをパネル収容部１１ａに入れることができる（図８（ｃ））。この構成によって広告用パネルＰを簡単に変更することができる。図に示す例では、羽根部１１の両側にそれぞれ広告用パネルＰを収容することができるように構成したが、両側に広告表示がなされた１枚の広告用パネルを１つの収容部に装着して、両側から視認することができるように構成することもできる。なお、広告用パネルＰを収容する収容部を羽根部１１に設ける例について説明したが、広告用パネルＰを収容する収容部を仕切り板本体１０に設けるようにしてもよい。
【００３５】
（テーブル）
テーブル２０は、テーブル本体２０ａと、ロック部２５と、付与部２４と、を有する。テーブル２０は、さらに、回動軸２１を有する。回動軸２１は、仕切り板本体１０に取り付けられた回動軸支持部材１００により回転及び摺動可能に支持されている。回動軸２１は、例えば、Ｘ方向に延びていることが好ましい。
テーブル２０は、テーブル本体２０ａが収納された収納状態（図２参照）と、テーブル本体２０ａが展開された展開状態（図６（ａ）参照）との間の回転が可能に構成されている。
テーブル本体２０ａは、回動軸２１を中心に収納状態（図２参照）と展開状態（図６（ａ）参照）との間の回動が可能に、かつ、展開状態において回動軸２１が延びる回動軸方向のスライドが可能な板状の部材である。
ロック部２５は、テーブル本体２０ａが展開状態において回動軸方向（本実施形態では、Ｘ方向と平行の方向）の一方側（本実施形態では、遠離方向ｘ１とは反対側）にスライドをしたときにテーブル本体２０ａの回動を規制することができるように、仕切り板本体１０の側面から突出した凸部である。
付与部２４は、テーブル本体２０ａが展開状態において回動軸方向（Ｘ方向）の一方側（遠離方向ｘ１とは反対側）にテーブル本体２０ａに対して付勢力を与えるバネである。
付与部２４は、仕切り板本体１０に形成された突起２３と、回動軸２１に設けられた突起２２との間に、圧縮状態で設けられている。これより、付与部２４は、常に、突起２２に、回動軸２１の延びる方向（回動軸方向）の一方（遠離方向ｘ１とは反対方向）の付勢力を与え、また、突起２３に、回動軸２１の延びる方向（回動軸方向）の一方とは反対方向（遠離方向ｘ１）の付勢力を与える。
テーブル本体２０ａは、不使用時には仕切り板本体１０に形成されたテーブル収納部１０ａに折り畳まれて収納される（収納状態）。
収納状態にあるテーブル本体２０ａを展開状態に起こすと、テーブル本体２０ａは、遊技台Ｂに対して回動軸方向（Ｘ方向）にスライドさせることができる。
ロック部２５がテーブル本体２０ａの下側に位置するように、展開状態に起こされたテーブル本体２０ａを、回動軸方向（Ｘ方向）の一方側（遠離方向ｘ１とは反対側）にスライドさせる。
このとき、テーブル本体２０ａが展開状態において回動軸方向（Ｘ方向）の一方側（遠離方向ｘ１とは反対側）にテーブル本体２０ａに対して付勢力を与える付与部２４が設けられているので、展開状態に起こされたテーブル本体２０ａを、回動軸方向（Ｘ方向）の一方側（遠離方向ｘ１とは反対側）にスライドさせることができる。
これにより、テーブル本体２０ａが収納状態にならないように、テーブル本体２０ａがロック部２５に乗っかるので、展開状態において回動軸方向にスライドさせたテーブル本体２０ａの回動がロック部２５によって規制されている。
なお、図においては、回動によって収納状態から展開状態へ移行する場合を例にとって説明しているが、これに限られず、収納状態から展開状態へ移行することができるものであれば、例えば引き出し式等の場合も含まれる。
【００３６】
（肘置き）
図３、図４及び図７に示すように、肘置き３０は、仕切り板本体１０の遊技者の側方と対向する側の面の反対側の面（テーブル２０が設置されている側面とは反対側の側面）にスライド可能に設けられる。
肘置き３０の仕切り板本体１０側には、板部材３２が設けられている。板部材３２を設けることによって、肘置き３０に置かれた遊技者の手が板部材３２に接触可能であり、遊技者がハンドルに手を掛ける際の負担を軽減することができる。
図５（ｂ）に示すように、肘置き３０の下側には、プレート７１が設けられている。仕切り板本体１０には、取付金具７０が固定されている。取付金具７０には、遊技者から左右方向に延びる長孔７２が形成されている。取付金具７０とプレート７１は、長孔７２を介してボルト７３によって取付されている。ボルト７３を緩めることによって、プレート７１は取付金具７０に対して、左右方向に移動することができ、これによって、肘置き３０を遊技台Ｂからみて左右方向（横方向）にスライドさせることができる。
【００３７】
また、図５（ｃ）に示すように、肘置き３０とプレート７１は、スライドレール３１を介して取り付けられている。スライドレール３１は、それぞれネジを介して肘置き３０とプレート７１に固定されている。スライドレール３１は、バネ等によって元の位置に戻るように付勢力が与えられている。スライドレール３１によって、遊技台Ｂの前後方向に肘置き３０をスライドさせることができる。これによって遊技者の負担を軽減することができると共に、メンテナンス時には遊技台Ｂの扉の開閉をしやすくできる。
【００３８】
（膳板固定部）
図２及び図７に示すように、膳板固定部４０は、取付金具４０ａが設けられており、取付金具４０ａには、複数の孔４０ｂが形成されている。取付金具４０ａは、膳板Ｄ（図１参照）の下側に位置し、ネジを介して膳板Ｄに螺着固定される。テーブル２０が展開状態となったときにテーブル２０の上面と膳板Ｄの上面が略一致するように、仕切り板本体１０に対する取付金具４０ａの位置が決定されている。このように構成することで、テーブル２０と膳板Ｄとを遊技者が一体的に使用することができる。
【００３９】
（高さ調整部）
図２に示すように、高さ調整部４１は、肘置き３０の高さを遊技台Ｂのハンドルの高さに対して調整する調整部である。高さ調整部４１は、下部固定部４２を構成する取付金具４２ａから垂直方向に立設されたフレーム部４２ｃと、仕切り板本体１０とフレーム部４２ｃとを固定するネジ（固定手段）４２ｄと、を有する。仕切り板本体１０は、端部が中空に形成されており、この端部に対してフレーム部４２ｃが摺動可能に構成されている。膳板Ｄの下部と取付金具４２ａとの間の位置が決まると、フレーム部４２ｃと仕切り板本体１０との間の位置関係が決定する。
【００４０】
（下部固定部）
図２に示すように、下部固定部４２は、仕切り板本体１０を床に固定するためのものである。下部固定部４２は、取付金具４２ａを有し、取付金具４２ａには、複数の孔４２ｂが設けられている。上記高さ調整後、取付金具４２ａの孔４２ｂにアンカー等でホールの床面に打ち付けることにより、下部仕切り板１を、床面にしっかりと固定することができる。
【００４１】
図９は、第１実施形態の変形例を説明する図である。
第１実施形態の下部仕切り板１では、仕切り板本体１０を一体のものとして構成したが、図９に示すように、仕切り板本体を上部仕切り板本体１００ａと下部仕切り板本体１００ｂに分割して構成することもできる。上部仕切り板本体１００ａ及び下部仕切り板本体１００ｂは、例えば、プラスチック等の樹脂製のカバーや樹脂製のメッシュにて構成される。上部仕切り板本体１００ａには、羽根部１１１が一体成形されている。下部仕切り板は、金属製のフレーム５０に上部仕切り板本体１００ａ及び下部仕切り板本体１００ｂを装着することによって構成されている。
【００４２】
下部仕切り板１によれば、遊技者は、快適に遊技を行うことができ、また、仕切り板本体１０の一方の面に収納可能なテーブル２０を有することで、遊技者は、そのテーブル２０上に、煙草が入った箱、携帯電話、あるいは飲みかけの飲料缶等をその遊技空間内に載置していつでも使用できるような状態にしておくことができる。また、他方の面に肘置き３０を備えることで利用者が楽な姿勢で遊技が行えるようになる。
【００４３】
また、高さ調整部４１を有することで、遊技店によって高さが異なる膳板に合わせて設置が可能となる。また、仕切り板本体１０の側部に、着脱自在に設置される羽根部１１を設けることで、羽根部１１に遊技場のサービス案内情報等、ＰＯＰ（Ｐｏｉｎｔ  ｏｆ  ｐｕｒｃｈａｓｅ  ａｄｖｅｒｔｉｓｉｎｇ）広告を貼付することができ、タイムリーで的確な宣伝と情報提供が可能になる。
【００４４】
なお、下部仕切り板１は、テーブル２０に代えて、ポケット８０を設けてもよい。ポケット８０を設けた場合にも、煙草が入った箱、携帯電話、又は、飲みかけの飲料缶等をその遊技空間内に載置していつでも使用できるような状態にしておくことができる。
【００４５】
図１０では、ポケット８０を仕切り板本体１０の上部であって肘置き３０とは反対側の面に取り付けた場合を示している。図１１は、図１０のポケット８０の取り付け方を仕切り板本体１０の反対側すなわち肘置き３０の側からみた図である。ポケット８０は、その上部に取付用の孔８０ａを有しており、仕切り板本体１０の上部に設けられている取付金具１０ｃによって仕切り板本体１０に固定される。図示するように、ポケット８０は、その幅において広狭の部分を有しており、収納する物品の大きさによってポケット８０内の適した位置を選択できるようになっている。
【００４６】
ポケット８０の取付位置はこれに限らず、仕切り板本体１０に対して幾分下側になるように取り付けてもよい。図１２は、ポケット８０が仕切り板本体１０の上部よりもポケット８０の略１個分だけ下方に取り付けられた変形例を示している。なお、ポケット８０は、足を組んだり、少し斜めを向いたりして遊戯する遊技者の姿勢に応じ易いように、仕切り板本体１０の枠体に沿って上下にスライドするように構成してもよい。
【００４７】
さらに、ポケット８０の取付位置は、仕切り板本体１０の上部であって肘置き３０の側の面に取り付けてもよい。図１３は、図１２の取付位置に対応する箇所に取り付けられた変形例を示している。このようにすると、肘置き３０とポケット８０が干渉せずに、ポケット８０に前述した物品を収納することができる。また、この場合、図１０及び図１１に示したように、仕切り板本体１０の反対側の面の上部にもポケット８０を取り付けることができ、ポケット８０は、仕切り板本体１０の少なくとも一方の面に取り付けられればよい。
【００４８】
また、図１０から図１３ではポケット８０として剛性の枠体から構成されたものを図示したが、ポケット８０は、これに限らず、例えば、折り畳み式のカップホルダー状ものや、剛性の枠体に代えて網かご状又はネット状のものなどであってもよく、仕切り板本体１０に取り付けられるように、かつ、物品を収納するように構成されているものであれば、種々の態様のものを採用することができる。
【００４９】
また、図１４に示すように、広告用パネルＰを収容するパネル収容部１１ａを省略してもよい。
また、モニタ収容部１１ｄの形状及びモニタＱの形状は、矩形であるとして説明したが、図１４に示すように、羽根部１１の形状に合致した形状であってもよく、また、他の形状（円形状、楕円形状、オーバル形状、多角形状）であってもよい。
【００５０】
以上、実施の形態を用いて本発明を説明したが、本発明の技術的範囲は上記実施の形態に記載の範囲に限定されないことは言うまでもない。上記実施の形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００５１】
１…下部仕切り板
１０…仕切り板本体
１１…羽根部
２０…テーブル
３０…肘置き
４０…膳板固定部
４１…高さ調整部
４２…下部固定部
５０…フレーム
６０…フック
７０…取付金具
８０…ポケット
Ｑ…モニタ
【図１】
2018108151.tif 000003
【図２】
2018108151.tif 000004
【図３】
2018108151.tif 000005
【図４】
2018108151.tif 000006
【図５】
2018108151.tif 000007
【図６】
2018108151.tif 000008
【図７】
2018108151.tif 000009
【図８】
2018108151.tif 000010
【図９】
2018108151.tif 000011
【図１０】
2018108151.tif 000012
【図１１】
2018108151.tif 000013
【図１２】
2018108151.tif 000014
【図１３】
2018108151.tif 000015
【図１４】
2018108151.tif 000016